(57)【要約】【課題】アダプタに対して手術器具を容易に着脱することができ、かつ、アダプタに安定して手術器具を固定すること。【解決手段】この手術器具４０は、アダプタ６０に対する取付面４０ａを有する基体４０ｂと、処置具４１と、基体４０ｂに回転可能に設けられた複数の被駆動部４４材と、基体４０ｂに設けられ複数の被駆動部材４４を覆うハウジング４３と、ハウジング４３および基体４０ｂに対して移動可能に設けられた第１および第２の可動部材４６と、を備える。基体４０ｂの取付面４０ａは、アダプタ６０に設けられた第１および第２のガイドレール６３をスライドにより受け入れるための第１および第２の案内溝４５を含む。第１および第２の案内溝４５は、それぞれ、基体４０ｂと可動部材４６とにより構成されており、第１および第２の可動部材４６を移動させることにより、溝幅を変更可能に構成されている。【選択図】図５
2020031768.tif 000002
【特許請求の範囲】
【請求項１】
ロボット手術システムのロボットアームにアダプタを介して取り外し可能に接続される手術器具であって、
前記アダプタに対する取付面を有する基体と、
処置具と、
一方端が前記基体に接続され、他方端に前記処置具が接続された細長形状のシャフトと、
前記基体に回転可能に設けられ、前記処置具を操作するための細長要素の端部が接続された複数の被駆動部材と、
前記基体に設けられ、前記複数の被駆動部材を覆うように設けられるハウジングと、
前記ハウジングおよび前記基体に対して移動可能に設けられた第１および第２の可動部材と、を備え、
前記基体の取付面は、前記アダプタに設けられた第１および第２のガイドレールをそれぞれスライドにより受け入れるための第１および第２の案内溝を含み、
前記第１および第２の案内溝は、それぞれ、前記基体と前記第１および第２の可動部材とにより構成されており、前記第１および第２の可動部材を移動させることにより、溝幅を変更可能に構成されている、手術器具。
【請求項２】
前記第１および第２の可動部材は、それぞれ、押圧されることにより、前記第１および第２の案内溝の溝幅が大きくなるように移動するように構成されている、請求項１に記載の手術器具。
【請求項３】
前記アダプタは、第１部材と、付勢部材を介して前記第１部材に対して移動可能に設けられた第２部材とを有し、前記被駆動部材に係合するように設けられた駆動伝達部材を含み、
前記第１および第２の可動部材は、それぞれ、前記第１および第２の案内溝の溝幅が大きくなるように移動されることにより、前記駆動伝達部材の前記第１部材を前記被駆動部材と遠ざかる方向に移動させて、前記駆動伝達部材と前記被駆動部材との係合を解除する押下げ部を含む、請求項１または２に記載の手術器具。
【請求項４】
前記押下げ部は、前記第１および第２の可動部材の移動に伴って、前記被駆動部材と前記駆動伝達部材とが係合する方向と交差する方向に移動されることにより、前記駆動伝達部材と前記被駆動部材との係合を解除するように構成されている、請求項３に記載の手術器具。
【請求項５】
前記押下げ部は、前記第１および第２の可動部材の移動に伴って前記第１部材に設けられたテーパ部に乗り上げて、前記第１部材を前記被駆動部材と遠ざかる方向に移動させるように構成されている、請求項３または４に記載の手術器具。
【請求項６】
前記第１および第２の案内溝は、前記被駆動部材と前記駆動伝達部材とが係合する方向と交差する方向に前記第１および第２のガイドレールをそれぞれ案内するように構成されている、請求項３〜５のいずれか１項に記載の手術器具。
【請求項７】
前記基体に着脱可能に設けられ、前記処置具への通電の有無または通電の種類に応じて取り付けられる接続部材を備える、請求項１〜６のいずれか１項に記載の手術器具。
【請求項８】
前記接続部材は、前記処置具の種類に応じて、モノポーラ用接続部材、バイポーラ用接続部材または非通電用接続部材を含む、請求項７に記載の手術器具。
【請求項９】
前記接続部材は、前記基体および前記ハウジングに対してスライドさせることにより装着されるように構成されている、請求項７または８に記載の手術器具。
【請求項１０】
前記第１および第２の可動部材は、それぞれ、前記第１および第２のガイドレールに各々設けられた爪部に係合する係合穴を有している、請求項１〜９のいずれか１項に記載の手術器具。
【請求項１１】
前記第１および第２の可動部材は、それぞれ、前記第１および第２の案内溝の溝幅が大きくなるように移動されることにより、前記係合穴と前記爪部との係合を解除するように構成されている、請求項１０に記載の手術器具。
【請求項１２】
前記第１および第２の案内溝の前記基体側には、それぞれ、前記取付面と平行な方向に張り出すように前記第１および第２のガイドレールに各々設けられた張出部に係合して、前記被駆動部材の回転軸線方向に前記取付面が前記アダプタに対して移動するのを規制する規制部が形成されている、請求項１０または１１に記載の手術器具。
【請求項１３】
前記第１および第２の案内溝は、それぞれ、入口の溝幅が広くなるように形成されている、請求項１〜１２のいずれか１項に記載の手術器具。
【請求項１４】
前記取付面には、前記アダプタの第１電極アレイに接続する第２電極アレイ近傍に前記取付面から突出するように設けられた突出部が形成されている、請求項１〜１３のいずれか１項に記載の手術器具。
【請求項１５】
前記複数の被駆動部材は、それぞれ、前記アダプタに設けられた対応する前記駆動伝達部材に係合する係合部を含み、
前記係合部は、前記複数の被駆動部材のうちスライド挿入方向上流側に位置する第１被駆動部材に設けられた第１係合部と、前記複数の被駆動部材のうちスライド挿入方向下流側に位置する第２被駆動部材に設けられ、前記第１係合部と異なる形状を有する第２係合部と、を有している、請求項３〜６のいずれか１項に記載の手術器具。
【請求項１６】
前記第１係合部は、前記第２係合部に係合する前記駆動伝達部材が係合しない形状を有している、請求項１５に記載の手術器具。
【請求項１７】
前記第１係合部は、第１突起部と、前記第１突起部と独立して設けられた第２突起部と、前記第１突起部および前記第２突起部の間に配置された第３突起部とを有しており、
前記第２係合部は、前記第３突起部を有さずに、前記第１突起部と、前記第２突起部とを有している、請求項１５または１６に記載の手術器具。
【請求項１８】
前記ロボットアームにドレープを介して取り付けられた前記アダプタに取り付けられる、請求項１〜１７のいずれか１項に記載の手術器具。
【発明の詳細な説明】
【技術分野】
【０００１】
この発明は、手術器具に関し、特に、ロボット手術システムのロボットアームにアダプタを介して取り外し可能に接続される手術器具に関する。
【背景技術】
【０００２】
従来、ロボット手術システムのロボットアームにアダプタを介して取り外し可能に接続される手術器具が知られている（たとえば、特許文献１参照）。
【０００３】
上記特許文献１には、アダプタの保持部材に係合する複数のタブを有しアダプタに対して取り付けられる基体と、処置具と、一方端が基体に接続され、他方端に処置具が接続された細長形状のシャフトと、基体に回転可能に設けられ、処置具を操作するための細長要素の端部が接続された複数の被駆動部材とを備える、手術器具が開示されている。この特許文献１の手術器具では、手術器具をアダプタに対して取り付ける場合は、基体をアダプタに対してスライドさせて基体のタブをアダプタの保持部材に係合させるように構成されている。また、手術器具をアダプタから取り外す場合は、取り付け方向とは逆に手術器具をスライドさせて基体のタブとアダプタの保持部材との係合を解除させるように構成されている。
【先行技術文献】
【特許文献】
【０００４】
【特許文献１】米国特許第８９９８９３０号明細書
【発明の概要】
【発明が解決しようとする課題】
【０００５】
しかしながら、特許文献１の手術器具では、手術器具をアダプタから取り外す場合は、取り付け方向とは逆に手術器具をスライドさせて基体のタブとアダプタの保持部材との係合を解除させるため、タブと保持部材との係合力が大きい場合、アダプタから手術器具を取り外す際に係合を解除するのに必要な力が大きくなる。この場合、アダプタに対して手術器具を容易に着脱することが困難であるという問題点がある。一方、タブと保持部材との係合力が小さい場合、アダプタへの手術器具の固定する力が小さくなる。この場合、アダプタに安定して手術器具を固定することが困難であるという問題点がある。上記のように、特許文献１の手術器具では、アダプタに対して手術器具を容易に着脱することと、アダプタに安定して手術器具を固定することとを両立するのは困難であるという問題点がある。
【０００６】
この発明は、ロボット手術システムのロボットアームにアダプタを介して取り外し可能に接続される手術器具において、アダプタに対して手術器具を容易に着脱することができ、かつ、アダプタに安定して手術器具を固定することに向けたものである。
【課題を解決するための手段】
【０００７】
この発明の一の局面による手術器具は、ロボット手術システムのロボットアームにアダプタを介して取り外し可能に接続される手術器具であって、アダプタに対する取付面を有する基体と、処置具と、一方端が基体に接続され、他方端に処置具が接続された細長形状のシャフトと、基体に回転可能に設けられ、処置具を操作するための細長要素の端部が接続された複数の被駆動部材と、基体に設けられ、複数の被駆動部材を覆うように設けられるハウジングと、ハウジングおよび基体に対して移動可能に設けられた第１および第２の可動部材と、を備え、基体の取付面は、アダプタに設けられた第１および第２のガイドレールをそれぞれスライドにより受け入れるための第１および第２の案内溝を含み、第１および第２の案内溝は、それぞれ、基体と第１および第２の可動部材とにより構成されており、第１および第２の可動部材を移動させることにより、溝幅を変更可能に構成されている。
【０００８】
この発明の一の局面による手術器具では、上記のように構成することによって、第１および第２の可動部材を移動させることにより第１および第２の案内溝の溝幅を変更することができるので、溝幅を大きくした状態の第１および第２の案内溝をアダプタの第１および第２のガイドレールにスライドさせることにより、アダプタに対して手術器具を容易に着脱することができる。また、アダプタの第１および第２のガイドレールをそれぞれ第１および第２の案内溝に挿入させた状態で、第１および第２の案内溝の溝幅を小さくすることにより、アダプタに対して手術器具の基体を係合させて固定することができるので、アダプタに対して手術器具を安定して固定することができる。これらの結果、ロボット手術システムのロボットアームにアダプタを介して取り外し可能に接続される手術器具において、アダプタに対して手術器具を容易に着脱することができ、かつ、アダプタに安定して手術器具を固定することができる。
【発明の効果】
【０００９】
本発明によれば、ロボット手術システムのロボットアームにアダプタを介して取り外し可能に接続される手術器具において、アダプタに対して手術器具を容易に着脱することができ、かつ、アダプタに安定して手術器具を固定することができる。
【図面の簡単な説明】
【００１０】
【図１】一実施形態によるロボット手術システムの概略を示した図である。
【図２】一実施形態によるロボット手術システムの制御的な構成を示したブロック図である。
【図３】一実施形態によるロボットアームにアダプタを介して手術器具が取り付けられた状態を示した斜視図である。
【図４】一実施形態によるロボットアームからアダプタおよび手術器具を取り外した状態を示した斜視図である。
【図５】一実施形態による手術器具およびアダプタを下方から見た斜視図である。
【図６】一実施形態による手術器具の取付面を下方から見た図である。
【図７】一実施形態によるアダプタを上方から見た斜視図である。
【図８】一実施形態によるアダプタの駆動伝達部材の分解斜視図である。
【図９】一実施形態による手術器具の可動部材を示した分解斜視図である。
【図１０】一実施形態による手術器具の可動部材の移動を説明するための第１図である。
【図１１】一実施形態による手術器具の可動部材の移動を説明するための第２図である。
【図１２】一実施形態によるバイポーラ用接続部材を有する手術器具の例を示した図である。
【図１３】一実施形態によるモノポーラ用接続部材を有する手術器具の例を示した図である。
【図１４】一実施形態による非通電用接続部材を有する手術器具の例を示した図である。
【図１５】一実施形態によるロボットアームへのアダプタの取り付けを説明するための図である。
【図１６】一実施形態によるアダプタへの手術器具の取り付けを説明するための第１図である。
【図１７】一実施形態によるアダプタへの手術器具の取り付けを説明するための第２図である。
【発明を実施するための形態】
【００１１】
以下、実施形態を図面に基づいて説明する。
【００１２】
（ロボット手術システムの構成）
図１および図２を参照して、一実施形態によるロボット手術システム１００の構成について説明する。
【００１３】
図１に示すように、ロボット手術システム１００は、遠隔操作装置１０と、患者側装置２０と、を備えている。遠隔操作装置１０は、患者側装置２０に設けられた医療器具（ｍｅｄｉｃａｌ  ｅｑｕｉｐｍｅｎｔ）を遠隔操作するために設けられている。患者側装置２０によって実行されるべき動作態様指令が術者（ｓｕｒｇｅｏｎ）である操作者Ｏにより遠隔操作装置１０に入力されると、遠隔操作装置１０は、動作態様指令をコントローラ２６を介して患者側装置２０に送信する。そして、患者側装置２０は、遠隔操作装置１０から送信された動作態様指令に応答して、ロボットアーム２１に取り付けられた手術器具（ｓｕｒｇｉｃａｌ  ｉｎｓｔｒｕｍｅｎｔ）４０、内視鏡５０等の医療器具を操作する。これにより、低侵襲手術が行われる。
【００１４】
患者側装置２０は、患者Ｐに対して手術を行うインターフェースを構成する。患者側装置２０は、患者Ｐが横たわる手術台３０の傍らに配置される。患者側装置２０は、複数のロボットアーム２１を有し、このうち１つのロボットアーム２１（２１ｂ）に内視鏡５０が取り付けられ、その他のロボットアーム２１（２１ａ）に手術器具４０が取り付けられる。各ロボットアーム２１は、プラットホーム２３に共通に支持されている。複数のロボットアーム２１は複数の関節を有し、それぞれの関節には、サーボモータを含む駆動部と、エンコーダ等の位置検出器とが設けられている。ロボットアーム２１は、コントローラ２６を介して与えられた駆動信号によりロボットアーム２１に取り付けられた医療器具が所望の動作を行うように制御されるように構成されている。
【００１５】
プラットホーム２３は、手術室の床の上に載置されたポジショナ２２に支持されている。ポジショナ２２は、鉛直方向に調整可能な昇降軸を有する柱部２４が、車輪を備え床面を移動可能なベース２５に連結されている。
【００１６】
ロボットアーム２１ａには、先端部に医療器具としての手術器具４０が着脱可能に取り付けられる。手術器具４０は、ロボットアーム２１ａに取り付けられるハウジング４３（図４参照）と、細長形状のシャフト４２（図４参照）と、シャフト４２の先端部に設けられたエンドエフェクタ４１（図４参照）とを備えている。エンドエフェクタ４１として、例えば、把持鉗子、シザーズ、フック、高周波ナイフ、スネアワイヤ、クランプ、ステイプラーが挙げられるがこれに限られるものではなく、各種の処置具を適用することができる。患者側装置２０を用いた手術において、ロボットアーム２１ａは、患者Ｐの体表に留置したカニューラ（トロッカ）を介して患者Ｐの体内に手術器具４０を導入する。そして、手術器具４０のエンドエフェクタ４１は、手術部位の近傍に配置される。
【００１７】
ロボットアーム２１ｂには、先端部に医療器具としての内視鏡５０が着脱可能に取り付けられる。内視鏡５０は、患者Ｐの体腔内を撮影するものであり、撮影した画像は、遠隔操作装置１０に対して出力される。内視鏡５０として、３次元画像を撮影することができる３Ｄ内視鏡若しくは２Ｄ内視鏡が用いられる。患者側装置２０を用いた手術において、ロボットアーム２１ｂは、患者Ｐに体表に留置したトロッカを介して患者Ｐの体内に内視鏡５０を導入する。そして、内視鏡５０が手術部位の近傍に配置される。
【００１８】
遠隔操作装置１０は、操作者Ｏとのインターフェースを構成する。遠隔操作装置１０は、ロボットアーム２１に取り付けられた医療器具を操作者Ｏが操作するための装置である。すなわち、遠隔操作装置１０は、操作者Ｏによって入力された手術器具４０および内視鏡５０によって実行されるべき動作態様指令をコントローラ２６を介して患者側装置２０へ送信可能に構成されている。遠隔操作装置１０は、たとえば、マスタの操作をしながらも患者Ｐの様子がよく見えるように手術台３０の傍らに設置される。なお、遠隔操作装置１０は、例えば動作態様指令を無線で送信するようにし、手術台３０が設置された手術室とは別室に設置することも可能である。
【００１９】
手術器具４０によって実行されるべき動作態様とは、手術器具４０の動作（一連の位置及び姿勢）及び手術器具４０個別の機能によって実現される動作の態様である。たとえば、手術器具４０が把持鉗子である場合には、手術器具４０によって実行されるべき動作態様とは、エンドエフェクタ４１の手首のロール回転位置及びピッチ回転位置と、ジョーの開閉を行う動作である。また、手術器具４０が高周波ナイフである場合には、手術器具４０によって実行されるべき動作態様とは、高周波ナイフの振動動作、具体的には高周波ナイフに対する電流の供給であり得る。また、手術器具４０がスネアワイヤである場合には、手術器具４０によって実行されるべき動作態様とは、束縛動作および束縛状態の解放動作であり得る。また、バイポーラやモノポーラに電流を供給することによって手術対象部位を焼き切る動作であり得る。
【００２０】
内視鏡５０によって実行されるべき動作態様とは、たとえば、内視鏡５０先端の位置及び姿勢、又はズーム倍率の設定である。
【００２１】
遠隔操作装置１０は、図１および図２に示すように、操作ハンドル１１と、操作ペダル部１２と、表示部１３と、制御装置１４と、を備えている。
【００２２】
操作ハンドル１１は、ロボットアーム２１に取り付けられた医療器具を遠隔で操作するために設けられている。具体的には、操作ハンドル１１は、医療器具（手術器具４０、内視鏡５０）を操作するための操作者Ｏによる操作を受け付ける。操作ハンドル１１は、水平方向に沿って２つ設けられている。つまり、２つの操作ハンドル１１のうち一方の操作ハンドル１１は、操作者Ｏの右手により操作され、２つの操作ハンドル１１のうち他方の操作ハンドル１１は、操作者Ｏの左手により操作される。
【００２３】
また、操作ハンドル１１は、遠隔操作装置１０の後方側から、前方側に向かって延びるように配置されている。操作ハンドル１１は、所定の３次元の操作領域内で動かすことができるように構成されている。すなわち、操作ハンドル１１は、上下方向、左右方向、および前後方向に動かすことができるように構成されている。
【００２４】
遠隔操作装置１０と患者側装置２０とは、ロボットアーム２１ａおよびロボットアーム２１ｂの動作の制御においては、マスタスレーブ型のシステムを構成する。すなわち、操作ハンドル１１は、マスタスレーブ型のシステムにおけるマスタ側の操作部を構成し、医療器具が取り付けられたロボットアーム２１ａおよびロボットアーム２１ｂはスレーブ側の動作部を構成する。そして、操作ハンドル１１を操作者Ｏが操作すると、操作ハンドル１１の動きをロボットアーム２１ａの先端部（手術器具４０のエンドエフェクタ４１）またはロボットアーム２１ｂの先端部（内視鏡５０）がトレースして移動するようにロボットアーム２１ａまたはロボットアーム２１ｂの動作が制御される。
【００２５】
また、患者側装置２０は、設定された動作倍率に応じてロボットアーム２１ａの動作を制御するよう構成されている。たとえば、動作倍率が１／２倍に設定されている場合、手術器具４０のエンドエフェクタ４１は、操作ハンドル１１の移動距離の１／２の移動距離を移動するよう制御される。これによって、精細な手術を精確に行うことができる。
【００２６】
操作ペダル部１２は、医療器具に関する機能を実行するための複数のペダルを含んでいる。複数のペダルは、凝固ペダルと、切断ペダルと、カメラペダルと、クラッチペダルと、を含んでいる。また、複数のペダルは、操作者Ｏの足により操作される。
【００２７】
凝固ペダルは、手術器具４０を用いて手術部位を凝固させる操作を行うことができる。具体的には、凝固ペダルは、操作されることにより、手術器具４０に凝固用の電圧が印加されて、手術部位の凝固が行われる。切断ペダルは、手術器具４０を用いて手術部位を切断させる操作を行うことができる。具体的には、切断ペダルは、操作されることにより、手術器具４０に切断用の電圧が印加されて、手術部位の切断が行われる。
【００２８】
カメラペダルは、体腔内を撮像する内視鏡５０の位置及び姿勢を操作するために用いられる。具体的には、カメラペダルは、内視鏡５０の操作ハンドル１１による操作を有効にする。つまり、カメラペダルが押されている間は、操作ハンドル１１により内視鏡５０の位置および姿勢を操作することが可能である。たとえば、内視鏡５０は、左右の操作ハンドル１１の両方を用いることにより操作される。具体的には、左右の操作ハンドル１１の中間点を中心に左右の操作ハンドル１１を回動させることにより、内視鏡５０が回動される。また、左右の操作ハンドル１１を共に押し込むことにより、内視鏡５０が奥に進む。また、左右の操作ハンドル１１を共に引っ張ることにより、内視鏡５０が手前に戻る。また、左右の操作ハンドル１１を共に上下左右に移動させることにより、内視鏡５０が上下左右に移動する。
【００２９】
クラッチペダルは、ロボットアーム２１と、操作ハンドル１１との操作接続を一時切断し手術器具４０の動作を停止させる場合に用いられる。具体的には、クラッチペダルが操作されている間は、操作ハンドル１１を操作しても、患者側装置２０のロボットアーム２１が動作しない。たとえば、操作により操作ハンドル１１が移動可能な範囲の端部近傍に来た場合に、クラッチペダルが操作されることにより、操作接続を一時切断して、操作ハンドル１１を中央位置付近に戻すことができる。そして、クラッチペダルの操作を中止するとロボットアーム２１と操作ハンドル１１とが再び接続され、中央付近で操作ハンドル１１の操作を再開することができる。
【００３０】
表示部１３は、内視鏡５０が撮像した画像を表示することができるものである。表示部１３は、スコープ型表示部または非スコープ型表示部からなる。スコープ型表示部とは、たとえば、覗き込むタイプの表示部である。また、非スコープ型表示部とは、通常のパーソナルコンピュータのディスプレイのような覗き込むタイプではない平坦な画面を有する開放型の表示部を含む概念である。
【００３１】
スコープ型表示部が取り付けられた場合、患者側装置２０のロボットアーム２１ｂに取り付けられた内視鏡５０により撮像された３Ｄ画像が表示される。非スコープ型表示部が取り付けられた場合にも、患者側装置２０に設けられた内視鏡５０により撮像された３Ｄ画像が表示される。なお、非スコープ型表示部が取り付けられた場合、患者側装置２０に設けられた内視鏡５０により撮像された２Ｄ画像が表示されてもよい。
【００３２】
図２に示すように、制御装置１４は、例えば、ＣＰＵ等の演算器を有する制御部１４１と、ＲＯＭおよびＲＡＭ等のメモリを有する記憶部１４２と、画像制御部１４３とを含んでいる。制御装置１４は、集中制御する単独の制御装置により構成されていてもよく、互いに協働して分散制御する複数の制御装置により構成されてもよい。制御部１４１は、操作ハンドル１１により入力された動作態様指令を、操作ペダル部１２の切替状態に応じて、ロボットアーム２１ａによって実行されるべき動作態様指令であるか、または、内視鏡５０によって実行されるべき動作態様指令であるかを判定する。そして、制御部１４１は、操作ハンドル１１に入力された動作態様指令が手術器具４０によって実行されるべき動作態様指令であると判断すると、動作態様指令をロボットアーム２１ａに対して送信する。これによって、ロボットアーム２１ａが駆動され、この駆動によってロボットアーム２１ａに取り付けられた手術器具４０の動作が制御される。
【００３３】
また、制御部１４１は、操作ハンドル１１に入力された動作態様指令が内視鏡５０によって実行されるべき動作態様指令であると判定すると、当該動作態様指令をロボットアーム２１ｂに対して送信する。これによって、ロボットアーム２１ｂが駆動され、この駆動によってロボットアーム２１ｂに取り付けられた内視鏡５０の動作が制御される。
【００３４】
記憶部１４２には例えば手術器具４０の種類に応じた制御プログラムが記憶されていて、取り付けられた手術器具４０の種類に応じて制御部１４１がこれらの制御プログラムを読み出すことにより、遠隔操作装置１０の操作ハンドル１１及び／又は操作ペダル部１２の動作指令が個別の手術器具４０に適合した動作をさせることができる。
【００３５】
画像制御部１４３は、内視鏡５０が取得した画像を表示部１３に伝送する。画像制御部１４３は、必要に応じて画像の加工修正処理を行う。
【００３６】
（アダプタおよび手術器具の構成）
図３〜図１４を参照して、一実施形態によるアダプタ６０および手術器具４０の構成について説明する。
【００３７】
図３に示すように、ロボットアーム２１は、清潔区域において使用されるため、ドレープ７０により覆われる。ここで、手術室では、手術により切開した部分および医療機器が病原菌や異物などにより汚染されることを防ぐため、清潔操作が行われる。この清潔操作においては、清潔区域および清潔区域以外の区域である汚染区域が設定される。手術部位は、清潔区域に配置される。操作者Ｏを含む手術チームのメンバーは、手術中、清潔区域に殺菌されている物体のみが位置するよう配慮し、かつ、汚染区域に位置している物体を清潔区域に移動させるときは、この物体に滅菌処理を施す。同様に、操作者Ｏを含む手術チームのメンバーがその手を汚染区域に位置させたときは、清潔区域に位置している物体に直接接触する前に、手の滅菌処理を行う。清潔区域において用いられる器具は、滅菌処理が行われる、または、滅菌処理されたドレープ７０により覆われる。
【００３８】
ドレープ７０は、ロボットアーム２１と、手術器具４０との間に配置される。具体的には、ドレープ７０は、アダプタ６０と、ロボットアーム２１との間に配置される。アダプタ６０は、ドレープ７０を挟み込むようにして、ロボットアーム２１に取り付けられる。つまり、アダプタ６０は、ロボットアーム２１ａとの間にドレープ７０を挟み込むためのドレープアダプタである。また、手術器具４０は、ロボットアーム２１ａにドレープ７０を介して取り付けられたアダプタ６０に取り付けられる。ロボットアーム２１は、手術器具４０のエンドエフェクタ４１を駆動させるために、アダプタ６０を介して手術器具４０に動力を伝達する。なお、エンドエフェクタ４１は、特許請求の範囲の「処置具」の一例である。
【００３９】
図４に示すように、アダプタ６０は、基体６１と、複数の駆動伝達部材６２と、ガイドレール６３と、先行ガイドレール６４と、第１電極アレイ６５と、アーム係合部６６と、を備えている。また、図５に示すように、アダプタ６０は、複数のアーム係合穴部６７と、複数の位置決孔６８とを備えている。駆動伝達部材６２は、図４に示すように、Ｙ２方向側に配置された複数の第１駆動伝達部材６２ａと、Ｙ１方向側に配置された複数の第２駆動伝達部材６２ｂとを含んでいる。また、アダプタ６０は、Ｚ２方向側に配置された第１面６０ａがロボットアーム２１ａに取り付けられる。また、アダプタ６０は、Ｚ１方向側に配置された第２面６０ｂに手術器具４０が取り付けられる。
【００４０】
手術器具４０は、ロボット手術システム１００のロボットアーム２１ａにアダプタ６０を介して取り外し可能に接続される手術器具である。図５に示すように、手術器具４０のハウジング４３のＺ２方向側に配置された取付面４０ａがアダプタ６０に取り付けられる。また、手術器具４０は、複数の被駆動部材４４と、２つの案内溝４５（第１の案内溝４５ａおよび第２の案内溝４５ｂ）と、２つの可動部材４６（第１の可動部材４６ａおよび第２の可動部材４６ｂ）と、先行案内溝４７と、第２電極アレイ４８とを備えている。被駆動部材４４は、Ｙ１方向側に配置された複数の第１被駆動部材４４ａと、Ｙ２方向側に配置された複数の第２被駆動部材４４ｂとを含んでいる。また、手術器具４０は、アダプタ６０に対する取付面４０ａを有する基体４０ｂを備えている。
【００４１】
図４に示すように、ドレープ７０は、本体部７１と、取付部７２とを備えている。本体部７１は、フィルム状に形成されている。取付部７２は、樹脂成型により形成されている。取付部７２は、ロボットアーム２１ａおよびアダプタ６０が係合する部分に貫通口が設けられている。貫通口は、係合する部分ごとに対応するように設けられていてもよい。また、貫通口は、複数の係合する部分に対応するように設けられていてもよい。
【００４２】
ロボットアーム２１のアダプタ取付面２１１には、アダプタ６０が取り付けられる。また、ロボットアーム２１は、回転駆動部２１２と、係合部２１３と、ボス２１４とを備えている。
【００４３】
図５に示すように、手術器具４０の複数の被駆動部材４４は、回転駆動されることにより、エンドエフェクタ４１を駆動させる。具体的には、シャフト４２は、一方端（Ｙ２方向側の端部）が基体４０ｂに接続され、他方端（Ｙ１方向側の端部）にエンドエフェクタ４１が接続されている。図１０に示すように、被駆動部材４４とエンドエフェクタ４１とは、シャフト４２内に通されたワイヤ４２１により接続されている。つまり、被駆動部材４４は、基体４０ｂに回転可能に設けられている。また、被駆動部材４４は、エンドエフェクタ４１を操作するためのワイヤ４２１の端部が接続されている。そして、被駆動部材４４が回転されることにより、ワイヤ４２１が引っ張られてエンドエフェクタ４１が駆動される。また、被駆動部材４４は、ハウジング４３内において、シャフト４２とギアにより接続されている。つまり、ハウジング４３は、基体４０ｂに、複数の被駆動部材４４を覆うように設けられる。そして、被駆動部材４４が回転されることにより、シャフト４２が回転される。なお、ワイヤ４２１は、特許請求の範囲の「細長要素」の一例である。
【００４４】
図５に示すように、たとえば、被駆動部材４４は、４つ設けられている。１つの被駆動部材４４の回転により、シャフト４２が回転される。また、他の３つの被駆動部材４４の回転により、エンドエフェクタ４１が駆動される。４つの被駆動部材４４は、Ｘ方向に２つ配列され、Ｙ方向に２つ配列されている。
【００４５】
図５および図６に示すように、複数の被駆動部材４４は、それぞれ、アダプタ６０に設けられた対応する駆動伝達部材６２に係合する係合部４４０を含む。係合部４４０は、複数の被駆動部材４４のうちスライド挿入方向上流側（Ｙ１方向側）に位置する第１被駆動部材４４ａに設けられた第１係合部４４０ａと、複数の被駆動部材４４のうちスライド挿入方向下流側（Ｙ２方向側）に位置する第２被駆動部材４４ｂに設けられた第２係合部４４０ｂとを有している。第１係合部４４０ａと第２係合部４４０ｂとは異なる形状を有している。第１係合部４４０ａは、アダプタ６０の第２駆動伝達部材６２ｂと係合する。第２係合部４４０ｂは、アダプタ６０の第１駆動伝達部材６２ａと係合する。これにより、アダプタ６０に対する手術器具４０のスライドの途中で、第１被駆動部材４４ａと第２被駆動部材４４ｂに対応する第１駆動伝達部材６２ａとが係合して引っかかるのを抑制することができるので、アダプタ６０に対して手術器具４０をスムーズに取り付けることができる。
【００４６】
つまり、第１係合部４４０ａは、第２係合部４４０ｂに係合する駆動伝達部材６２（第１駆動伝達部材６２ａ）が係合しない形状を有している。これにより、アダプタ６０に対する手術器具４０のスライドの途中で、第１被駆動部材４４ａと第２被駆動部材４４ｂに対応する第１駆動伝達部材６２ａとが係合して引っかかるのをより確実に抑制することができる。
【００４７】
具体的には、第１係合部４４０ａは、第１突起部４４１と、第１突起部４４１と独立して設けられた第２突起部４４２と、第１突起部４４１および第２突起部４４２の間に配置された第３突起部４４３とを有している。また、第２係合部４４０ｂは、第３突起部４４３を有さずに、第１突起部４４１と、第２突起部４４２とを有している。これにより、第１突起部４４１および第２突起部４４２を構成する部品を共通にして、第３突起部４４３の有無により、第１係合部４４０ａおよび第２係合部４４０ｂを互いに異なる形状に形成することができるので、部品の種類が増加するのを抑制することができる。
【００４８】
第１の案内溝４５ａおよび第２の案内溝４５ｂは、基体４０ｂの取付面４０ａに設けられている。また、第１の案内溝４５ａおよび第２の案内溝４５ｂは、それぞれ、アダプタ６０に設けられた第１のガイドレール６３ａおよび第２のガイドレール６３ｂをスライドにより受け入れるために設けられている。案内溝４５は、Ｙ方向に沿って延びるように設けられている。また、案内溝４５は、Ｘ方向に対向するように２つ設けられている。第１の案内溝４５ａおよび第２の案内溝４５ｂは、略平行に設けられている。第１の案内溝４５ａおよび第２の案内溝４５ｂは、それぞれ、アダプタ６０の第１のガイドレール６３ａおよび第２のガイドレール６３ｂが挿入されてアダプタ６０への取り付けを案内する。また、第１の案内溝４５ａおよび第２の案内溝４５ｂは、図６に示すように、それぞれ、入口（Ｙ１方向側の端部）の溝幅が広くなるように形成されている。これにより、アダプタ６０の第１のガイドレール６３ａおよび第２のガイドレール６３ｂに対して、それぞれ、第１の案内溝４５ａおよび第２の案内溝４５ｂを容易に導くことができるので、アダプタ６０に対して手術器具４０を容易に取り付けることができる。
【００４９】
ここで、本実施形態では、第１の案内溝４５ａは、基体４０ｂと第１の可動部材４６ａとにより構成されている。また、第２の案内溝４５ｂは、基体４０ｂと第２の可動部材４６ｂとにより構成されている。また、第１の可動部材４６ａおよび第２の可動部材４６ｂは、ハウジング４３および基体４０ｂに対して移動可能に設けられている。第１の可動部材４６ａおよび第２の可動部材４６ｂを移動させることにより、案内溝４５の溝幅を変更可能に構成されている。具体的には、案内溝４５は、可動部材４６がＸ方向に移動することにより、幅が変化する。つまり、可動部材４６が内側に移動することにより、案内溝４５の幅が拡張される。また、可動部材４６が外側に移動することにより、案内溝４５の幅が縮小される。可動部材４６は、案内溝４５の幅を狭める方向（外側方向）に向けて付勢されている。
【００５０】
これにより、可動部材４６を移動させることにより案内溝４５の溝幅を変更することができるので、溝幅を大きくした状態の案内溝４５をアダプタ６０のガイドレール６３にスライドさせることにより、アダプタ６０に対して手術器具４０を容易に着脱することができる。また、アダプタ６０のガイドレール６３を案内溝４５に挿入させた状態で、案内溝４５の溝幅を小さくすることにより、アダプタ６０に対して手術器具４０の基体４０ｂを係合させて固定することができるので、アダプタ６０に対して手術器具４０を安定して固定することができる。これらの結果、ロボット手術システム１００のロボットアーム２１ａにアダプタ６０を介して取り外し可能に接続される手術器具４０において、アダプタ６０に対して手術器具４０を容易に着脱することができ、かつ、アダプタ６０に安定して手術器具４０を固定することができる。
【００５１】
先行案内溝４７は、Ｙ方向に沿って延びるように設けられている。また、先行案内溝４７は、第１の案内溝４５ａおよび第２の案内溝４５ｂの間に設けられている。また、先行案内溝４７は、第１の案内溝４５ａおよび第２の案内溝４５ｂと略平行に延びるように形成されている。また、先行案内溝４７は、Ｘ方向における取付面４０ａの略中央に設けられている。
【００５２】
第２電極アレイ４８は、アダプタ６０の第１電極アレイ６５を介してロボットアーム２１に接続される。また、第２電極アレイ４８は、ハウジング４３内に設けられた基板に接続されている。つまり、手術器具４０をアダプタ６０を介してロボットアーム２１に取り付けることにより、手術器具４０の基板と、ロボットアーム２１とが接続される。ハウジング４３内の基板は、手術器具４０の種類や手術器具４０の使用回数を管理するためなどに用いられる。
【００５３】
手術器具４０の取付面４０ａの第２電極アレイ４８は、図６に示すように、複数の電極４８１と、突出部４８２とを含んでいる。複数の電極４８１は、それぞれ、アダプタ６０の第１電極アレイ６５の複数の電極６５１と接続される。突出部４８２は、電極４８１近傍に取付面４０ａから突出するように形成されている。突出部４８２は、各々の電極４８１に対してＸ方向の両側に配置されている。突出部４８２は、電極４８１に手などが触れるのを防止するために設けられている。具体的には、電極４８１を挟み込む突出部４８２の間隔は、指の大きさよりも十分に小さい。また、突出部４８２は、Ｚ方向において、電極４８１よりも大きく突出している。これにより、手術器具４０がアダプタ６０から取り外されている状態において、第２電極アレイ４８に触れることを防止することができる。
【００５４】
図４に示すように、アダプタ６０は、ロボット手術システム１００のロボットアーム２１ａに手術器具４０を取り外し可能に接続するために設けられている。図４および図５に示すように、基体６１は、ロボットアーム２１ａに取り付けるための第１面６０ａと、手術器具４０の取付面４０ａが装着される第２面６０ｂと、を含んでいる。アダプタ６０は、Ｚ方向にみて、手術器具４０のハウジング４３と略同じ大きさを有している。具体的には、アダプタ６０は、Ｚ方向にみて、ハウジング４３と略同じ直径を有する略円形状に形成されている。
【００５５】
駆動伝達部材６２は、基体６１に回転可能に設けられている。具体的には、駆動伝達部材６２は、Ｚ方向に延びる回転軸線を中心に回転可能に設けられている。駆動伝達部材６２は、ロボットアーム２１ａの回転駆動部２１２の駆動力を、手術器具４０の被駆動部材４４に伝達する。駆動伝達部材６２は、手術器具４０の被駆動部材４４に対応するように複数設けられている。また、複数の駆動伝達部材６２は、手術器具４０の被駆動部材４４に対応する位置に各々配置されている。
【００５６】
ガイドレール６３は、図７に示すように、第２面６０ｂに設けられている。また、ガイドレール６３は、Ｙ方向に沿って延びるように設けられている。また、ガイドレール６３は、Ｘ方向に対向するように２つ設けられている。第１のガイドレール６３ａおよび第２のガイドレール６３ｂは、略平行に設けられている。また、第１のガイドレール６３ａおよび第２のガイドレール６３ｂは、それぞれ、手術器具４０の取付面４０ａに略平行に設けられた第１の案内溝４５ａおよび第２の案内溝４５ｂに対応するように設けられている。第２面６０ｂの第１のガイドレール６３ａおよび第２のガイドレール６３ｂは、取付面４０ａの第１の案内溝４５ａおよび第２の案内溝４５ｂをそれぞれ対応させてＹ方向にスライドさせることにより、複数の駆動伝達部材６２の各々と、取付面４０ａに設けられた複数の被駆動部材４４の各々とが対応するように手術器具４０を案内するように構成されている。
【００５７】
また、第２面６０ｂの第１のガイドレール６３ａおよび第２のガイドレール６３ｂは、第２部材６２２の第１部材６２１に対する移動方向（Ｚ方向）と交差する方向（Ｙ方向）に、手術器具４０の第１の案内溝４５ａおよび第２の案内溝４５ｂをそれぞれ案内するように構成されている。つまり、アダプタ６０に対する手術器具４０のスライド挿入方向は、手術器具４０のシャフト４２が延びる方向と略平行である。
【００５８】
先行ガイドレール６４は、第２面６０ｂに設けられている。また、先行ガイドレール６４は、Ｙ方向に沿って延びるように設けられている。また、先行ガイドレール６４は、第１のガイドレール６３ａおよび第２のガイドレール６３ｂの間に設けられている。また、先行ガイドレール６４は、第１のガイドレール６３ａおよび第２のガイドレール６３ｂと略平行に延びるように形成されている。また、先行ガイドレール６４は、Ｘ方向における第２面６０ｂの略中央に設けられている。また、先行ガイドレール６４は、取付面４０ａに設けられた先行案内溝４７に対応して設けられている。つまり、先行ガイドレール６４は、第１のガイドレール６３ａおよび第２のガイドレール６３ｂよりも先行して手術器具４０を案内する。
【００５９】
また、先行ガイドレール６４は、アダプタ６０に対する手術器具４０のスライド挿入方向上流側（Ｙ２方向側）が先細り形状に形成されている。具体的には、先行ガイドレール６４は、Ｙ２方向側の端部がＸ方向の幅が先細る形状に形成されている。また、先行ガイドレール６４は、Ｙ２方向側の端部がＺ方向の高さが先細る形状に形成されている。
【００６０】
第１電極アレイ６５は、手術器具４０の第２電極アレイ４８とロボットアーム２１とに接続される。
【００６１】
アーム係合部６６は、図４および図５に示すように、ロボットアーム２１の係合部２１３に係合する。具体的には、アーム係合部６６は、第１面６０ａに設けられたアーム係合穴部６７に挿入された係合部２１３と係合する。また、アーム係合部６６は、Ｙ方向に移動可能である。アーム係合部６６は、付勢部材によりＹ１方向に付勢されている。アーム係合部６６は、Ｙ１方向に移動されることにより、係合部２１３と係合する。一方アーム係合部６６は、Ｙ２方向に移動されることにより、係合部２１３との係合が解除される。
【００６２】
アーム係合穴部６７は、複数設けられている。つまり、アダプタ６０は、複数個所の係合により、ロボットアーム２１に固定される。アーム係合穴部６７は、たとえば、５つ設けられている。また、複数のアーム係合穴部６７は、第１面６０ａの周方向に沿って、均等に設けられている。
【００６３】
位置決孔６８は、第１面６０ａに設けられている。位置決孔６８は、ロボットアーム２１のボス２１４が嵌り込む。位置決孔６８は、複数設けられている。位置決孔６８は、第１面６０ａのＹ１方向側の端部近傍に設けられている。
【００６４】
図７に示すように、ガイドレール６３は、レール部６３１と、張出部６３２と、爪部６３３とを含んでいる。レール部６３１は、Ｙ方向に延びるように形成されている。レール部６３１は、手術器具４０の案内溝４５に入り込んで、アダプタ６０に対する手術器具４０の移動をガイドする。
【００６５】
張出部６３２は、レール部６３１からＸ方向に張り出すように形成されている。具体的には、第１のガイドレール６３ａ（Ｘ１方向側のガイドレール６３）の張出部６３２は、レール部６３１に対してＸ１方向側に配置されている。また、第２のガイドレール６３ｂ（Ｘ２方向側のガイドレール６３）の張出部６３２は、レール部６３１に対してＸ２方向側に配置されている。
【００６６】
爪部６３３は、レール部６３１からＸ方向に張り出すように形成されている。具体的には、第１のガイドレール６３ａ（Ｘ１方向側のガイドレール６３）の爪部６３３は、レール部６３１に対してＸ２方向側に配置されている。また、第２のガイドレール６３ｂ（Ｘ２方向側のガイドレール６３）の爪部６３３は、レール部６３１に対してＸ１方向側に配置されている。つまり、張出部６３２は、レール部６３１に対して、爪部６３３の反対側に設けられている。張出部６３２は、レール部６３１に対してＸ方向における外側に配置されている。爪部６３３は、レール部６３１に対してＸ方向における内側に配置されている。
【００６７】
張出部６３２は、手術器具４０の案内溝４５に設けられた規制部４５１（図１０および図１１参照）に係合する。張出部６３２が規制部４５１に係合することにより、アダプタ６０に対して手術器具４０がＺ方向に抜けないように接続される。
【００６８】
爪部６３３は、手術器具４０の案内溝４５に設けられた係合穴４６２（図９〜図１１参照）に係合する。具体的には、爪部６３３は、案内溝４５を形成する可動部材４６の側壁４６３に設けられた係合穴４６２に係合する。これにより、爪部６３３が係合穴４６２に係合されることによって、ガイドレール６３により案内した手術器具４０をアダプタ６０に対して位置決めして固定することができる。つまり、爪部６３３が係合穴４６２に係合することにより、手術器具４０がアダプタ６０に対してＹ方向に位置決めされるとともに、アダプタ６０に対して手術器具４０がＹ方向に抜けないように固定（ロック）される。また、爪部６３３は、図１０に示すように、Ｘ方向に沿って傾斜するように形成されている。
【００６９】
図８に示すように、駆動伝達部材６２は、第１部材６２１と、付勢部材６２３を介して第１部材６２１に対して移動可能に設けられた第２部材６２２と、を含んでいる。第１部材６２１は、第２部材６２２が嵌り込む凹部６２１ｂと、第２部材６２２に係合する係合部６２１ｃとを有している。第２部材６２２は、付勢部材６２３が収容される凹部６２２ａと、第１部材６２１に係合する係合部６２２ｂとを有している。第１部材６２１と、第２部材６２２とは、付勢部材６２３を間に挟んだ状態でＺ方向に篏合している。第１部材６２１は、第２面６０ｂ側（Ｚ１方向側）に配置されている。第２部材６２２は、第１面６０ａ側（Ｚ２方向側）に配置されている。付勢部材６２３は、第１部材６２１を第２部材６２２に対してＺ１方向側に付勢している。付勢部材６２３は、たとえば、バネにより構成されている。
【００７０】
第２部材６２２は、Ｚ方向において、第１面６０ａと面一に配置されている。また、第２部材６２２は、Ｚ方向において、基体６１に対して移動されないように配置されている。第１部材６２１は、Ｚ方向において、基体６１に対して移動可能に配置されている。これにより、手術器具４０を第１のガイドレール６３ａおよび第２のガイドレール６３ｂに沿って案内してアダプタ６０に取り付ける場合に、手術器具４０の移動の妨げにならないように駆動伝達部材６２の第１部材６２１をＺ方向にくぼむように移動させることができる。つまり、第１の案内溝４５ａおよび第２の案内溝４５ｂは、被駆動部材４４と駆動伝達部材６２とが係合する方向（Ｚ方向）と交差する方向（Ｙ方向）にガイドレール６３を案内するように構成されている。この場合に、手術器具４０をガイドレール６３に沿って案内してアダプタ６０に取り付ける場合に、手術器具４０の移動の妨げにならないように駆動伝達部材６２の第１部材６２１を移動させることができる。
【００７１】
また、第１部材６２１は、第２部材６２２がＺ方向の回転軸線を中心に回転することに伴って、回転されるように構成されている。具体的には、第１部材６２１の内周部に設けられた係合部６２１ｃと、第２部材６２２の外周部に設けられた係合部６２２ｂとが、係合するように構成されている。第１部材６２１の係合部６２１ｃは、凹部６２１ｂから内側に突出するように形成されている。第２部材６２２の係合部６２２ｂは、第２部材６２２の外周部から内側に凹むように形成されている。第１部材６２１の係合部６２１ｃと、第２部材６２２の係合部６２２ｂとは、第１部材６２１が第２部材６２２に対してＺ方向に移動したとしても、互いに係合するように構成されている。つまり、第２部材６２２に対する第１部材６２１のＺ方向における位置に関わらず、第１部材６２１は、第２部材６２２とともに回転されるように構成されている。これにより、第２部材６２２がロボットアーム２１の回転駆動部２１２の回転により回転されると、第１部材６２１も回転される。その結果、第１部材６２１に係合する手術器具４０の被駆動部材４４に、ロボットアーム２１の回転駆動部２１２の回転が伝達される。
【００７２】
図９に示すように、手術器具４０の可動部材４６は、ボタン４６１と、係合穴４６２と、側壁４６３と、押下げ部４６４と、付勢部材４６５と、固定部材４６６とを含んでいる。可動部材４６は、図１０および図１１に示すように、付勢部材４６５により案内溝４５の幅を狭める方向（外側方向）に付勢されている。可動部材４６は、ボタン４６１を作業者が押すことにより、案内溝４５の幅を広げる方向（内側方向）に移動する。具体的には、第１の可動部材４６ａ（Ｘ１方向側の可動部材４６）は、付勢部材４６５によりＸ１方向側に付勢されている。また、第１の可動部材４６ａ（Ｘ１方向側の可動部材４６）は、Ｘ２方向側に押されることにより、付勢力に抗してＸ２方向側に移動する。また、第２の可動部材４６ｂ（Ｘ２方向側の可動部材４６）は、付勢部材４６５によりＸ２方向側に付勢されている。また、第２の可動部材４６ｂ（Ｘ２方向側の可動部材４６）は、Ｘ１方向側に押されることにより、付勢力に抗してＸ１方向側に移動する。
【００７３】
可動部材４６は、図６、図１０および図１１に示すように、押圧されることにより、案内溝４５の溝幅が大きくなるように移動するように構成されている。これにより、作業者が可動部材４６に対して押圧する作業を行うことにより、案内溝４５の溝幅を容易に大きくすることができる。
【００７４】
ボタン４６１は、作業者により押圧されて操作されるために設けられている。ボタン４６１は、図５に示すように、ハウジング４３から露出するように、Ｘ方向の外側に設けられている。ボタン４６１は、Ｙ方向に沿った複数の溝が形成されている。これにより、ボタン４６１の位置を触るだけで認識することが可能であるとともに、操作する手が滑るのを抑制することが可能である。
【００７５】
係合穴４６２は、アダプタ６０のガイドレール６３に設けられた爪部６３３に係合する。係合穴４６２は、図９に示すように、側壁４６３に設けられている。また、係合穴４６２は、図１０および図１１に示すように、側壁４６３をＸ方向に貫通するように形成されている。これにより、ガイドレール６３により案内した手術器具４０をアダプタ６０に対して位置決めして固定することができる。
【００７６】
また、可動部材４６は、図１１に示すように、案内溝４５の溝幅が大きくなるように移動されることにより、係合穴４６２と爪部６３３との係合を解除するように構成されている。これにより、案内溝４５の溝幅を大きくする操作と、係合穴４６２とアダプタ６０の爪部６３３との係合を解除する操作とを、同時に行うことができるので、アダプタ６０から手術器具４０を取り外す際の作業を容易に行うことができる。
【００７７】
側壁４６３は、案内溝４５のＸ方向における内側の壁を構成する。つまり、側壁４６３は、図１０および図１１に示すように、基体４０ｂに設けられた規制部４５１と対向するように配置されている。側壁４６３と規制部４５１とにより形成された案内溝４５により、ガイドレール６３のレール部６３１を挟み込むようにして、ガイドレール６３がガイドされる。
【００７８】
規制部４５１は、第１の案内溝４５ａおよび第２の案内溝４５ｂの基体４０ｂ側に、それぞれ、設けられている。規制部４５１は、Ｙ方向に延びるように形成されている。規制部４５１は、取付面４０ａと平行な方向（Ｘ方向）に張り出すようにガイドレール６３に設けられた張出部６３２に係合して、被駆動部材４４の回転軸線方向（Ｚ方向）に取付面４０ａがアダプタ６０に対して移動するのを規制する。これにより、張出部６３２と規制部４５１とを係合させて被駆動部材の回転軸線方向（取付面４０ａと直交する方向）の移動を規制することにより、アダプタ６０に対して手術器具４０を安定して固定することができる。
【００７９】
図１０および図１１に示すように、押下げ部４６４は、案内溝４５の溝幅が大きくなるように可動部材４６が移動されることにより、駆動伝達部材６２の第１部材６２１を被駆動部材４４と遠ざかる方向（Ｚ２方向）に移動させて、駆動伝達部材６２と被駆動部材４４との係合を解除する。これにより、案内溝４５の溝幅を大きくする操作と、被駆動部材４４と駆動伝達部材６２との係合を解除する操作とを、同時に行うことができるので、アダプタ６０から手術器具４０を取り外す際の作業を容易に行うことができる。
【００８０】
具体的には、押下げ部４６４は、可動部材４６の移動に伴って、被駆動部材４４と駆動伝達部材６２とが係合する方向（Ｚ方向）と交差する方向（Ｘ方向）に移動されることにより、駆動伝達部材６２と被駆動部材４４との係合を解除するように構成されている。これにより、被駆動部材４４と駆動伝達部材６２とが係合する方向と交差する方向（Ｘ方向）に案内溝４５の溝幅を広げるように作業者が可動部材４６に対して作業を行うことにより、被駆動部材４４と駆動伝達部材６２との係合を解除することができる。
【００８１】
つまり、押下げ部４６４は、可動部材４６の移動に伴って第１部材６２１に設けられたテーパ部６２１ａに乗り上げて、第１部材６２１を被駆動部材４４と遠ざかる方向（Ｚ２方向）に移動させるように構成されている。これにより、押下げ部４６４の移動方向と被駆動部材４４および駆動伝達部材６２が係合する方向とが異なる場合でも、押下げ部４６４の移動により被駆動部材４４と駆動伝達部材６２との係合を容易に解除することができる。
【００８２】
押下げ部４６４は、側壁４６３の下部のＸ方向内側に接続されている。押下げ部４６４は、ＸＹ平面状に延びる板状に形成されている。押下げ部４６４は、被駆動部材４４に対応する部分に切り欠きが設けられている。
【００８３】
付勢部材４６５は、ボタン４６１、側壁４６３、押下げ部４６４を、Ｘ方向外側に付勢するように構成されている。付勢部材４６５の内側の端部は、固定部材４６６に当接して、Ｘ方向内側への移動が規制されている。また、付勢部材４６５の外側の端部は、ボタン４６１の内側に当接して、ボタン４６１、側壁４６３、押下げ部４６４を、Ｘ方向外側に付勢している。付勢部材６２３は、たとえば、バネにより構成されている。
【００８４】
図１０および図１１に示すように、手術器具４０の取付面４０ａの案内溝４５には、規制部４５１が設けられている。規制部４５１は、案内溝４５に沿って、Ｙ方向に延びるように形成されている。規制部４５１には、アダプタ６０の第２面６０ｂに設けられたガイドレール６３の張出部６３２が係合する。
【００８５】
案内溝４５を形成する可動部材４６の側壁４６３に設けられた係合穴４６２には、アダプタ６０の第２面６０ｂに設けられたガイドレール６３の爪部６３３が係合する。また、可動部材４６を、Ｘ方向における内側方向に移動させることにより、爪部６３３の係合穴４６２への係合が解除される。また、可動部材４６を、Ｘ方向における内側方向に移動させることにより、駆動伝達部材６２がＺ２方向に押されて、駆動伝達部材６２と、被駆動部材４４との係合が解除される。この状態で、手術器具４０をアダプタ６０に対してＹ２方向にスライドさせることにより、手術器具４０をアダプタ６０から取り外すことができる。
【００８６】
図１２〜図１４に示すように、接続部材４９は、基体４０ｂに着脱可能に設けられ、エンドエフェクタ４１（処置具）への通電の有無または通電の種類に応じて取り付けられる。これにより、エンドエフェクタ４１への通電の有無または通電の種類に応じて接続部材４９を替えることにより、複数種類の手術器具４０を組み立てることができるので、複数種類の手術器具４０に対して、基体４０ｂ、ハウジング４３、被駆動部材４４、可動部材４６などの部材を共通化することができる。
【００８７】
たとえば、接続部材４９は、エンドエフェクタ４１の種類に応じて、モノポーラ用接続部材４９ｂ（図１３参照）、バイポーラ用接続部材４９ａ（図１２参照）または非通電用接続部材４９ｃ（図１４参照）を含む。これにより、モノポーラ用接続部材４９ｂ、バイポーラ用接続部材４９ａおよび非通電用接続部材４９ｃを、エンドエフェクタ４１への通電の有無または通電の種類に応じて替えて、複数種類の手術器具４０を組み立てることができる。
【００８８】
また、接続部材４９は、基体４０ｂおよびハウジング４３に対してスライドさせることにより装着されるように構成されている。具体的には、接続部材４９は、基体４０ｂおよびハウジング４３に対してＹ方向にスライドさせることにより着脱される。これにより、スライド移動により、基体４０ｂおよびハウジング４３に対して接続部材４９を容易に取り付けることができる。
【００８９】
図１２に示すように、バイポーラ用接続部材４９ａは、エンドエフェクタ４１に対して、バイポーラの電力を供給するために設けられる。バイポーラ用接続部材４９ａは、本体部４９１と、電極４９２と、電極４９３と、を含む。電極４９２には、配線４９２ａが接続されている。電極４９３には、配線４９３ａが接続されている。配線４９２ａおよび４９３ａは、それぞれ、エンドエフェクタ４１に接続されている。本体部４９１は、電極４９２および４９３を保持している。また、本体部４９１は、基体４０ｂおよびハウジング４３に対して取り付け可能に構成されている。電極４９２および４９３は、電力を供給する配線が接続されたコネクタに接続可能に構成されている。
【００９０】
図１３に示すように、モノポーラ用接続部材４９ｂは、エンドエフェクタ４１に対して、モノポーラの電力を供給するために設けられる。モノポーラ用接続部材４９ｂは、本体部４９４と、電極４９５と、を含む。電極４９５には、配線４９５ａが接続されている。配線４９５ａは、エンドエフェクタ４１に接続されている。本体部４９４は、電極４９５を保持している。また、本体部４９４は、基体４０ｂおよびハウジング４３に対して取り付け可能に構成されている。電極４９５は、電力を供給する配線が接続されたコネクタに接続可能に構成されている。
【００９１】
図１４に示すように、非通電用接続部材４９ｃは、ハウジング４３の開口を塞ぐように設けられている。つまり、ハウジング４３には、バイポーラ用接続部材４９ａまたはモノポーラ用接続部材４９ｂを接続するための開口が設けられている。電力が供給されないエンドエフェクタ４１が設けられている場合は、開口は、非通電用接続部材４９ｃにより覆われる。非通電用接続部材４９ｃは、本体部４９６を含む。本体部４９６は、基体４０ｂおよびハウジング４３に対して取り付け可能に構成されている。
【００９２】
（ロボットアームへの手術器具の取り付け）
図１５〜図１７を参照して、一実施形態によるロボットアーム２１ａへの手術器具４０の取り付けについて説明する。
【００９３】
図１５に示すように、ロボットアーム２１ａをドレープ７０で覆った状態で、ロボットアーム２１ａにアダプタ６０を取り付ける。アダプタ６０は、ロボットアーム２１ａに対してＺ方向に移動させて、ロボットアーム２１ａに取り付けられる。図１６および図１７に示すように、ロボットアーム２１ａに取り付けられたアダプタ６０に対して手術器具４０を取り付ける。手術器具４０は、アダプタ６０の先行ガイドレール６４および第１のガイドレール６３ａおよび第２のガイドレール６３ｂに沿ってＹ方向に移動させて、アダプタ６０に取り付けられる。これにより、手術器具４０がアダプタ６０を介してロボットアーム２１ａに取り付けられる。
【００９４】
手術器具４０をロボットアーム２１ａから取り外す場合は、手術器具４０の可動部材４６のボタン４６１を押しながら、手術器具４０をＹ２方向にスライド移動させることにより、手術器具４０がアダプタ６０から外される。
【００９５】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９６】
たとえば、上記実施形態では、アダプタの第２面に沿って手術器具をシャフトの延びる方向にスライド移動させることにより、着脱する構成の例を示したが、本発明はこれに限られない。本発明では、アダプタの第２面に沿って手術器具をシャフトの延びる方向と交差する方向にスライド移動させることにより、着脱させてもよい。
【００９７】
また、上記実施形態では、可動部材がシャフトの延びる方向と交差する方向に移動可能な構成の例を示したが、本発明はこれに限られない。本発明では、可動部材がシャフトの延びる方向に移動可能であってもよい。また、可動部材は、被駆動部材の回転軸線方向に移動可能であってもよい。
【００９８】
また、上記実施形態では、平面視において手術器具の取付面が略円形状を有する構成の例を示したが、本発明はこれに限られない。本発明では、手術器具の取付面の平面視における形状は略円形状でなくてもよい。たとえば、手術器具の取付面は、平面視において矩形形状を有していてもよい。
【００９９】
また、上記実施形態では、手術器具の基体に４つの被駆動部材が設けられている構成の例を示したが、本発明はこれに限られない。本発明では、手術器具の基体に４つ以外の複数の被駆動部材が設けられていてもよい。
【０１００】
また、上記実施形態では、アダプタとドレープとが別体に設けられている構成の例を示したが、本発明はこれに限られない。本発明では、アダプタとドレープとが一体的に設けられている構成でもよい。
【符号の説明】
【０１０１】
２１ａ：ロボットアーム、４０：手術器具、４０ａ：取付面、４０ｂ：基体、４１：エンドエフェクタ（処置具）、４２：シャフト、４３：ハウジング、４４：被駆動部材、４４ａ：第１被駆動部材、４４ｂ：第２被駆動部材、４５：案内溝、４５ａ：第１の案内溝、４５ｂ：第２の案内溝、４６：可動部材、４６ａ：第１の可動部材、４６ｂ：第２の可動部材、４８：第２電極アレイ、４９：接続部材、４９ａ：バイポーラ用接続部材、４９ｂ：モノポーラ用接続部材、４９ｃ：非通電用接続部材、６０：アダプタ、６２：駆動伝達部材、６３：ガイドレール、６３ａ：第１のガイドレール、６３ｂ：第２のガイドレール、６５：第１電極アレイ、７０：ドレープ、１００：ロボット手術システム、４４０：係合部、４４０ａ：第１係合部、４４０ｂ：第２係合部、４２１：ワイヤ（細長要素）、４４１：第１突起部、４４２：第２突起部、４４３：第３突起部、４５１：規制部、４６２：係合穴、４６４：押下げ部、４８２：突出部、６２１：第１部材、６２１ａ：テーパ部、６２２：第２部材、６２３：付勢部材、６３２：張出部、６３３：爪部
【図１】
2020031768.tif 000003
【図２】
2020031768.tif 000004
【図３】
2020031768.tif 000005
【図４】
2020031768.tif 000006
【図５】
2020031768.tif 000007
【図６】
2020031768.tif 000008
【図７】
2020031768.tif 000009
【図８】
2020031768.tif 000010
【図９】
2020031768.tif 000011
【図１０】
2020031768.tif 000012
【図１１】
2020031768.tif 000013
【図１２】
2020031768.tif 000014
【図１３】
2020031768.tif 000015
【図１４】
2020031768.tif 000016
【図１５】
2020031768.tif 000017
【図１６】
2020031768.tif 000018
【図１７】
2020031768.tif 000019
【手続補正書】
【提出日】令和1年8月22日(2019.8.22)
【手続補正１】
【補正対象書類名】特許請求の範囲
【補正対象項目名】全文
【補正方法】変更
【補正の内容】
【特許請求の範囲】
【請求項１】
ロボット手術システムのロボットアームにアダプタを介して取り外し可能に接続される手術器具であって、
前記アダプタに対する取付面を有する基体と、
処置具と、
一方端が前記基体に接続され、他方端に前記処置具が接続された細長形状のシャフトと、
前記基体に回転可能に設けられ、前記処置具を操作するための細長要素の端部が接続された複数の被駆動部材と、
前記複数の被駆動部材を覆うように設けられるハウジングと、
前記ハウジングおよび前記基体に対して移動可能に設けられた第１および第２の可動部材と、を備え、
前記基体の取付面は、前記アダプタに設けられた第１および第２のガイドレールをそれぞれスライドにより受け入れるための第１および第２の案内溝を含み、
前記第１および第２の案内溝は、それぞれ、前記基体と前記第１および第２の可動部材とにより構成されており、前記第１および第２の可動部材を移動させることにより、溝幅を変更可能に構成されている、手術器具。
【請求項２】
前記第１および第２の可動部材は、それぞれ、押圧されることにより、前記第１および第２の案内溝の溝幅が大きくなるように移動するように構成されている、請求項１に記載の手術器具。
【請求項３】
前記アダプタは、第１部材と、付勢部材を介して前記第１部材に対して移動可能に設けられた第２部材とを有し、前記被駆動部材に係合するように設けられた駆動伝達部材を含み、
前記第１および第２の可動部材は、それぞれ、前記第１および第２の案内溝の溝幅が大きくなるように移動されることにより、前記駆動伝達部材の前記第１部材を前記被駆動部材と遠ざかる方向に移動させて、前記駆動伝達部材と前記被駆動部材との係合を解除する押下げ部を含む、請求項１または２に記載の手術器具。
【請求項４】
前記押下げ部は、前記第１および第２の可動部材の移動に伴って、前記被駆動部材と前記駆動伝達部材とが係合する方向と交差する方向に移動されることにより、前記駆動伝達部材と前記被駆動部材との係合を解除するように構成されている、請求項３に記載の手術器具。
【請求項５】
前記押下げ部は、前記第１および第２の可動部材の移動に伴って前記第１部材に設けられたテーパ部に乗り上げて、前記第１部材を前記被駆動部材と遠ざかる方向に移動させるように構成されている、請求項３または４に記載の手術器具。
【請求項６】
前記第１および第２の案内溝は、前記被駆動部材と前記駆動伝達部材とが係合する方向と交差する方向に前記第１および第２のガイドレールをそれぞれ案内するように構成されている、請求項３〜５のいずれか１項に記載の手術器具。
【請求項７】
前記基体に着脱可能に設けられ、前記処置具への通電の有無または通電の種類に応じて取り付けられる接続部材を備える、請求項１〜６のいずれか１項に記載の手術器具。
【請求項８】
前記接続部材は、前記処置具の種類に応じて、モノポーラ用接続部材、バイポーラ用接続部材または非通電用接続部材を含む、請求項７に記載の手術器具。
【請求項９】
前記接続部材は、前記基体および前記ハウジングに対してスライドさせることにより装着されるように構成されている、請求項７または８に記載の手術器具。
【請求項１０】
前記第１および第２の可動部材は、それぞれ、前記第１および第２のガイドレールに各々設けられた爪部に係合する係合穴を有している、請求項１〜９のいずれか１項に記載の手術器具。
【請求項１１】
前記第１および第２の可動部材は、それぞれ、前記第１および第２の案内溝の溝幅が大きくなるように移動されることにより、前記係合穴と前記爪部との係合を解除するように構成されている、請求項１０に記載の手術器具。
【請求項１２】
前記第１および第２の案内溝の前記基体側には、それぞれ、前記取付面と平行な方向に張り出すように前記第１および第２のガイドレールに各々設けられた張出部に係合して、前記被駆動部材の回転軸線方向に前記取付面が前記アダプタに対して移動するのを規制する規制部が形成されている、請求項１０または１１に記載の手術器具。
【請求項１３】
前記第１および第２の案内溝は、それぞれ、入口の溝幅が広くなるように形成されている、請求項１〜１２のいずれか１項に記載の手術器具。
【請求項１４】
前記取付面には、前記アダプタの第１電極アレイに接続する第２電極アレイが設けられ、
前記第２電極アレイは、複数の電極と、前記複数の電極の近傍に前記取付面から突出するように設けられた突出部とを含む、請求項１〜１３のいずれか１項に記載の手術器具。
【請求項１５】
前記複数の被駆動部材は、それぞれ、前記アダプタに設けられた対応する前記駆動伝達部材に係合する係合部を含み、
前記係合部は、前記複数の被駆動部材のうちスライド挿入方向上流側に位置する第１被駆動部材に設けられた第１係合部と、前記複数の被駆動部材のうちスライド挿入方向下流側に位置する第２被駆動部材に設けられ、前記第１係合部と異なる形状を有する第２係合部と、を有している、請求項３〜６のいずれか１項に記載の手術器具。
【請求項１６】
前記第１係合部は、前記第２係合部に係合する前記駆動伝達部材が係合しない形状を有している、請求項１５に記載の手術器具。
【請求項１７】
前記第１係合部は、第１突起部と、前記第１突起部と独立して設けられた第２突起部と、前記第１突起部および前記第２突起部の間に配置された第３突起部とを有しており、
前記第２係合部は、前記第３突起部を有さずに、前記第１突起部と、前記第２突起部とを有している、請求項１５または１６に記載の手術器具。
【請求項１８】
前記ロボットアームにドレープを介して取り付けられた前記アダプタに取り付けられる、請求項１〜１７のいずれか１項に記載の手術器具。
【手続補正２】
【補正対象書類名】明細書
【補正対象項目名】０００７
【補正方法】変更
【補正の内容】
【０００７】
この発明の一の局面による手術器具は、ロボット手術システムのロボットアームにアダプタを介して取り外し可能に接続される手術器具であって、アダプタに対する取付面を有する基体と、処置具と、一方端が基体に接続され、他方端に処置具が接続された細長形状のシャフトと、基体に回転可能に設けられ、処置具を操作するための細長要素の端部が接続された複数の被駆動部材と、複数の被駆動部材を覆うように設けられるハウジングと、ハウジングおよび基体に対して移動可能に設けられた第１および第２の可動部材と、を備え、基体の取付面は、アダプタに設けられた第１および第２のガイドレールをそれぞれスライドにより受け入れるための第１および第２の案内溝を含み、第１および第２の案内溝は、それぞれ、基体と第１および第２の可動部材とにより構成されており、第１および第２の可動部材を移動させることにより、溝幅を変更可能に構成されている。